(57)【要約】  【課題】  本発明の目的は、カメラ付き携帯電話の画像を大画面のテレビジョンに簡単な操作で表示すると共に、撮像部の光学特性も補正した画像が大画面に表示される画像表示システムを提供することである。 【解決手段】  自身の表示手段に表示している画像を外部の表示装置（テレビジョン）で表示するよう操作する操作手段を備えた携帯電話において、操作に応じてその画像を補正するための補正プログラムがテレビ等の外部表示装置にあるかどうかを判別する。【選択図】        図２
2008010899.tif 000002
【特許請求の範囲】
【請求項１】
画像データを補正するプログラムソフトを記憶する記憶手段と、前記プログラムソフトによって補正された画像データを表示する第１表示手段とを備えた表示装置と、
画像データを表示する第２表示手段と、前記第２表示手段で表示している画像を前記第１表示手段で表示するよう操作する操作手段と、前記操作手段の操作に応じて前記記憶手段に前記第２の表示手段で表示している画像に対応した画像データを補正するプログラムソフトが記憶されているかどうか判別する判別手段とを備えた撮像装置と、から成ることを特徴とする画像表示システム。
【請求項２】
画像データを表示する表示手段と、
前記表示手段で表示している画像を外部の表示装置で表示するよう操作する操作手段と、
前記操作手段の操作に応じて前記外部の表示装置に前記表示手段で表示している画像に対応した画像データを補正するプログラムソフトが存在するかどうか判別する判別手段とを備えたことを特徴とする撮像装置。
【請求項３】
更に、前記操作手段の操作に応じて前記外部の表示装置に前記記憶手段に記憶されている画像データを補正するプログラムソフトの種類を識別する識別情報を送信するように指示する指示データを出力する出力手段と、前記指示データに応じて前記外部の表示装置から送信された前記識別情報を入力する入力手段とを備え、
前記判別手段は、前記識別情報に基づいて前記プログラムソフトの有無を判別することを特徴とする請求項２に記載の撮像装置。
【請求項４】
更に、前記判別手段が前記外部の表示装置に前記プログラムソフトが記憶されていないと判別した場合に、前記外部の表示装置に対して前記プログラムソフトを出力し、その後前記外部の表示装置に対して前記表示手段で表示している画像に対応した画像データを出力するよう制御する制御手段を備えることを特徴とする請求項３に記載の撮像装置。
【請求項５】
10-1-2.
更に、前記判別手段が前記外部の表示装置に前記表示手段で表示している画像に対応した画像データを補正する古いバージョンのプログラムソフトが記憶されていると判別した場合に、前記外部の表示装置に対して前記表示手段で表示している画像に対応した画像データを出力し、その後前記表示手段で表示している画像に対応した画像データを補正する最新バージョンのプログラムソフトを出力するよう制御する制御手段を備えることを特徴とする請求項３に記載の撮像装置。
【請求項６】
画像データを補正するプログラムソフトを記憶する記憶手段と、
自身の表示手段で表示している画像を他の表示手段で表示するよう操作する操作手段を備えた撮像装置の前記操作手段の操作に応じて前記撮像装置から出力される、前記記憶手段に記憶されている前記プログラムソフトの種類を識別するデータを出力するように指示する指示データを入力する入力手段と、
前記入力手段に入力した前記指示データに応じて前記記憶手段に記憶されている前記プログラムソフトの種類を識別するデータを出力する出力手段とを備えたことを特徴とする表示装置。
【請求項７】
前記表示装置は更に、前記プログラムソフトにより補正した画像データを表示する表示手段を備えることを特徴とする請求項６に記載の表示装置。
【請求項８】
画像データを表示する第１の表示手段を備えた表示装置と、
前記表示装置に出力する画像データを補正するプログラムソフトを記憶する記憶手段を備えた処理装置と、
画像データを表示する第２表示手段と、前記第２表示手段で表示している画像を前記第１表示手段で表示するよう操作する操作手段と、前記操作手段の操作に応じて前記処理装置に前記第２表示手段で表示している画像に対応した画像データを補正するプログラムソフトが存在するかどうか判別する判別手段とを備えた撮像装置と、から成ることを特徴とする画像表示システム。
【請求項９】
前記撮像装置とは携帯電話あるいはデジタルカメラの少なくともいずれかであることを特徴とする請求項１、請求項２、請求項６、請求項８のいずれかに記載の撮像装置、表示装置又は画像表示システム。
【請求項１０】
前記画像データを補正するプログラムソフトとは前記撮像装置の光学特性に起因した撮影画像の歪みを補正するためのプログラムソフトであることを特徴とする請求項１、請求項２、請求項６、請求項８のいずれかに記載の撮像装置、表示装置又は画像表示システム。
【請求項１１】
画像データを表示する第１表示手段と、
画像データを表示する第２表示手段と、
被写体を撮影する撮像手段と、
前記撮像手段の光学特性に起因した撮影画像の歪みを補正するためのプログラムソフトを記憶する記憶手段と、
前記第１表示手段で表示している画像を前記第２表示装置で表示するよう操作する操作手段と、
前記操作手段の操作に応じて前記第１表示手段で表示している画像に対応した画像データを補正するプログラムソフトが前記記憶手段に存在するかどうか判別する判別手段とを備えたことを特徴とする画像表示システム。
【発明の詳細な説明】
【技術分野】
【０００１】
本発明はカメラ付携帯電話で撮影した画像を鑑賞するためのシステムに関し、特にカメラ付き携帯電話で撮影した画像を大画面のテレビジョンに簡単な操作で表示して鑑賞する画像鑑賞システムに関する。
【背景技術】
【０００２】
カメラ付き携帯電話で撮影した画像は、そのカメラ付き携帯電話に設けられた表示部に表示して鑑賞する他、大画面を備えた外部の表示装置の送信して鑑賞する技術が知られている。この結合装置はＴＶのコネクタに直接取り付けられる小さなアダプタとして構成できる。
【０００３】
特開２００１−４５３９０号公報には移動局等の外部装置からブルートゥース等の無線信号を受信し、それを、テレビジョン装置に適するフォーマットに変換する結合装置を含む方法が開示されている。特開２００２−１０２２７号公報には外部のモニタが取り込める信号形式に変換されて画像情報と、外部モニタの制御信号とを外部モニタに出力する携帯電話端末が開示されている。この動作は利用者のキー入力操作によって行われる。特開２００３−２４４２８９号公報には携帯電話の表示画面に表示している画像と同一の画像を外部表示装置に対応する表示情報に変換して近距離通信手段を用いて伝送する携帯電話が開示されている。特開２００３−３１９２８１号公報にはデジタルカメラ等の画像取り込み装置および電子画像を表示するテレビと通信し、画像取り込み装置から受信した電子画像をテレビに送信するドッキングステーションを備えた画像閲覧システムが開示されている。ここで、テレビに対して無線周波数（ＲＦ）通信で画像を送信し、赤外線（ＩＲ）送信で制御を行う。
【０００４】
特開２００１−３３３１６２号公報には携帯電話などの通信装置が通信可能な電子カメラなどの撮像装置の動作状態を判別して通信装置に表示する撮像システムが開示されている。これにより例えば電子カメラの電源スイッチ状態を携帯電話で確認することが出来る。
【０００５】
特開２００２−１７０１１０号公報には接続された携帯電話の機種情報に基づいて画像処理の内容を切り換えるサーバが開示されている。これにより携帯電話の表示特性に応じた適切な処理を施すことが出来る。
【０００６】
特開２００３−１７４６１８号公報には画像サービスセンタによって管理されている画像処理プログラムが更新されると管理下にある全ての画像取り扱い装置に更新後の画像処理プログラムを配信する画像処理プログラム供給方法が開示されている。これにより機種によらず同品質のプリントサービスを享受することが出来る。
【０００７】
また、特開２００４−２６４３４３号公報にはズーム光学系を備えた撮像装置に起因した歪曲収差のある画像データをデジタル的に補正する技術が開示されている。これにより、レンズ系の奥行きが薄い撮像装置を実現することが出来る。
【特許文献１】特開２００１−４５３９０号公報
【特許文献２】特開２００１−３３３１６２号公報
【特許文献３】特開２００２−１０２２７号公報
【特許文献４】特開２００２−１７０１１０号公報
【特許文献５】特開２００３−１７４６１８号公報
【特許文献６】特開２００３−２４４２８９号公報
【特許文献７】特開２００３−３１９２８１号公報
【特許文献８】特開２００４−２６４３４３号公報
【発明の開示】
【発明が解決しようとする課題】
【０００８】
カメラ付携帯電話で撮影した通常のテレビジョンで鑑賞する為にはカメラ付き携帯電話及び、テレビジョンの双方で、複雑な多数の操作が必要である。前述した公知文献においても、大画面の表示装置にカメラ付き携帯電話の画面を表示する際に利用者の最小限の操作で実現する方法については開示されていない。更に、カメラ付き携帯電話で撮影した画面をテレビジョンのような大画面で鑑賞しようとするとカメラ付き携帯電話の撮像部の光学特性に起因した画面歪み等が強調され、大画面で鑑賞には必ずしも十分な性能ではない。
【０００９】
本発明の目的は、カメラ付き携帯電話の画像を大画面のテレビジョンに簡単操作で表示されると共に、撮像部の光学特性も補正した画像が大画面に表示される画像表示システムを提供することである。
【課題を解決するための手段】
【００１０】
上記問題点の解決のために、請求項１の発明は、画像データを補正するプログラムソフトを記憶する記憶手段と、前記プログラムソフトによって補正された画像データを表示する第１表示手段とを備えた表示装置と、画像データを表示する第２表示手段と前記第２表示手段で表示している画像を前記第１表示手段で表示するよう操作する操作手段と前記操作手段の操作に応じて前記記憶手段に前記第２の表示手段で表示している画像に対応した画像データを補正するプログラムソフトが記憶されているかどうか判別する判別手段とを備えた撮像装置と、からシステムが構成されることを特徴としている。すなわち、画像データを補正するプログラムソフトを記憶する表示装置（テレビ等）と、撮像装置（携帯電話等）の表示画面である第２表示手段で表示している画像をテレビで表示するよう操作する操作手段を備えた携帯電話から構成されたシステムにおいて、携帯電話で前記操作をするとテレビに携帯電話で表示している画像を補正するプログラムソフトがあるかどうか携帯電話が判別する。
【００１１】
請求項２の発明は、画像データを表示する表示手段と、前記表示手段で表示している画像を外部の表示装置で表示するよう操作する操作手段と、前記操作手段の操作に応じて前記外部の表示装置に前記表示手段で表示している画像に対応した画像データを補正するプログラムソフトが存在するかどうか判別する判別手段とを撮像装置が備えたことを特徴としている。すなわち、自身の表示手段で表示している画像を外部の表示装置で表示するよう操作するとその画像を補正するプログラムソフトが外部装置にあるかどうか判別する。
【００１２】
請求項３の発明は、請求項２の発明において、更に、前記操作手段の操作に応じて前記外部の表示装置に前記記憶手段に記憶されている画像データを補正するプログラムソフトの種類を識別する識別情報を送信するように指示する指示データを出力する出力手段と、前記指示データに応じて前記外部の表示装置から送信された前記識別情報を入力する入力手段とを備え、前記判別手段は、前記識別情報に基づいて前記プログラムソフトの有無を判別することを特徴とする。
【００１３】
請求項４の発明は、更に、前記判別手段が前記外部の表示装置に前記プログラムソフトが記憶されていないと判別した場合に、前記外部の表示装置に対して前記プログラムソフトを出力し、その後前記外部の表示装置に対して前記表示手段で表示している画像に対応した画像データを出力するよう制御する制御手段を備えることを特徴とする。
【００１４】
請求項５の発明は、更に、前記判別手段が前記外部の表示装置に前記表示手段で表示している画像に対応した画像データを補正する古いバージョンのプログラムソフトが記憶されていると判別した場合に、前記外部の表示装置に対して前記表示手段で表示している画像に対応した画像データを出力し、その後前記表示手段で表示している画像に対応した画像データを補正する最新バージョンのプログラムソフトを出力するよう制御する制御手段を備えることを特徴とする。
【００１５】
請求項６の発明は、画像データを補正するプログラムソフトを記憶する記憶手段と、自身の表示手段で表示している画像を他の表示手段で表示するよう操作する操作手段を備えた撮像装置の前記操作手段の操作に応じて前記撮像装置から出力される、前記記憶手段に記憶されている前記プログラムソフトの種類を識別するデータを出力するように指示する指示データを入力する入力手段と、前記入力手段に入力した前記指示データに応じて前記記憶手段に記憶されている前記プログラムソフトの種類を識別するデータを出力する出力手段とを表示装置が備えたことを特徴としている。すなわち、画像データを補正するプログラムを備えたテレビにおいて、携帯電話からの識別データ出力指示に応じてテレビは前記プログラムソフトの種類を識別するデータを出力する。
【００１６】
請求項７の発明は、前記表示装置は更に、前記プログラムソフトにより補正した画像データを表示する表示手段を備えることを特徴とする。
請求項８の発明は、画像データを表示する第１の表示手段を備えた表示装置と、前記表示装置に出力する画像データを補正するプログラムソフトを記憶する記憶手段を備えた処理装置と、画像データを表示する第２表示手段と前記第２表示手段で表示している画像を前記第１表示手段で表示するよう操作する操作手段と前記操作手段の操作に応じて前記処理装置に前記第２表示手段で表示している画像に対応した画像データを補正するプログラムソフトが存在するかどうか判別する判別手段とを備えた撮像装置と、からシステムが構成されることを特徴としている。すなわち、携帯電話からの識別データ出力指示に応じて、処理装置はテレビに出力する画像データを補正するプログラムソフトの種類を識別するデータを出力する。
【００１７】
請求項９の発明は、前記撮像装置とは携帯電話あるいはデジタルカメラの少なくともいずれかであることを特徴とする。
請求項１０の発明は、前記画像データを補正するプログラムソフトとは前記撮像装置の光学特性に起因した撮影画像の歪みを補正するためのプログラムソフトであることを特徴とする。
【００１８】
請求項１１の発明は、画像データを表示する第１表示手段と、画像データを表示する第２表示手段と、被写体を撮影する撮像手段と、前記撮像手段の光学特性に起因した撮影画像の歪みを補正するためのプログラムソフトを記憶する記憶手段と、前記第１表示手段で表示している画像を前記第２表示装置で表示するよう操作する操作手段と、前記操作手段の操作に応じて前記第１表示手段で表示している画像に対応した画像データを補正するプログラムソフトが前記記憶手段に存在するかどうか判別する判別手段とを画像表示システムが備えたことを特徴としている。
【発明の効果】
【００１９】
本発明によれば、カメラ付き携帯電話で撮影した画像をカメラ付き携帯電話に付いている特定のスイッチをただ一度押すだけで大画面のテレビで表示させることが出来る。その際、画像データを補正するプログラムソフトが、テレビあるいはテレビに外付けされる処理装置に存在しているかどうかカメラ付き携帯電話で判別する。これにより画像データが確実に補正されるので、使用者は、大画面上に歪みのないきれいな画像を鑑賞することが出来る。
【発明を実施するための最良の形態】
【００２０】
（実施例１）
図１は本発明の第１の実施の形態のシステムの概念を示す図である。
【００２１】
本実施の形態のシステムは、カメラ付携帯電話１００とストレージ装置２００とテレビジョン３００とで構成される。携帯電話１００は市販されているカメラ付携帯電話の一部機能を追加したものであり、基本的には市販のカメラ付携帯電話と同様の構成・機能を有する。
【００２２】
カメラ付携帯電話１００はブルートゥースによるブルートゥース通信機能と、赤外線による赤外通信機能とを有する。ストレージ装置２００はブルートゥース通信機能を備え、これによってカメラ付携帯電話１００と通信可能である。また、ストレージ装置２００はテレビ３００の外部信号入力部と接続されている。テレビ３００はリモコン信号を受信する赤外通信機能を備えておりカメラ付携帯電話１００とも通信可能である。これによって、テレビ３００は入力信号をカメラ付携帯電話３００から表示画像を外部入力信号に切り替える入力切換信号を受信する。
【００２３】
カメラ付携帯電話１００は自身で撮影した画像や他のカメラ付携帯電話などから入手した画像を記録し再生表示する。再生表示した状態でカメラ付携帯電話１００に所定の操作を行うと、再生表示中の画像がブルートゥース通信によってストレージ装置２００に送信される。ストレージ装置２００は前記画像に所定の処理を施してテレビ３００に送出する。前記所定の処理は、例えば前記画像をテレビ３００により美しく表示される画像とするための処理である。
【００２４】
テレビ３００は自身を外部入力信号を表示する外部信号表示モードにすると共に前記受けた画像を表示し鑑賞に供する。テレビ３００を外部入力表示モードとする表示切替信号はカメラ付携帯電話１００から所定のタイミングで出力される。
【００２５】
各部を詳細に説明する。
図２はカメラ付携帯電話１００の概略構成を示したブロック図、図３はカメラ付携帯電話１００の外観を示した図である。カメラ付携帯電話１００は第１の部分１０１と第２の部分１０２とからなり、第１の部分１０１と第２の部分１０２とは回転軸１０３によって開閉可能な構造である。図２、図３を参照してカメラ付携帯電話１００を説明する。図２、図３において同一の構成には同一の符号を付した。なお、カメラ付携帯電話１００の構成のうち、本発明に関係する部分を主として説明する。
【００２６】
１１０は２００万から３００万画素の撮像素子や撮影レンズなどからなる撮影ユニット１１１を含むカメラ部である。１４０は記録部であり、カメラ部１１０で撮影された画像を記録し保存する。１２０は表示部であり、カメラ部１１０からの画像又は記録部１４０に記録された画像が表示される。表示部１２０は第１の部分１０１に設けられている。カメラ部１１０及び操作部１３０は第２の部分１０２に設けられている。カメラユニット１１１の撮影レンズ１１２は第２の部分１０２の外側に、操作部１３０は第２の部分１０２の外側に設けられている。即ち、撮影レンズ１１２は操作部１３０の裏側に設けられている。なお、１０５は通話などを行う携帯電話機能部である。
【００２７】
図４（Ａ）は図３の状態のカメラ付携帯電話１００を閉じて全体を反転させた状態の外観図である。この状態では表示部１２０は折り畳んだ内側となり見ることができない。代わりに表示部１２０の裏面に設けられた副表示部１２５が見える。前記第１の部分１０１は図３の左右方向に１８０度回転させることが可能である。図４（Ｂ）は前記第１の部分を左右方向に１８０度回転させて閉じた状態の外観図である。この状態では表示部１２０は外側となり見ることができる。
【００２８】
表示部１２０はカメラ付携帯電話の各種機能を使用する際のメニューも表示する。１３０は操作部であり、テンキー１３１を含む押しボタンスイッチや十字キー１３２、送信釦１３３等で構成されている。１５０は赤外通信部、１６０はブルーツース通信部であり、共に外部の対応通信部と通信を行う。ブルーツース通信部１６０はカメラ部１１０で撮影した画像を送信する。赤外通信部１５０はテレビ３００を制御する信号を送信する。この機能により、カメラ付携帯電話１００でテレビ３００の視聴チャンネル切換などのテレビ操作が可能である。更に、表示画像を通常のテレビ放送から外部入力信号に基づく画像に切換えることも可能である。
【００２９】
１８０はカメラ付き携帯電話１００の開閉状態を検出する開閉センサ、１８５は第１の部分１０１の回転状態即ち表示部１２０が内向き（図３の状態）であるか外向き図４（Ｂ）の状態であるかを検出する回転センサである。開閉センサ１８０及び回転センサ１８５の検出結果に応じた表示が表示部１２０に表示される。例えば、回転センサ１８５の検出結果により表示部１２０への表示方向が変化する。開閉センサ１８０がカメラ付き携帯電話１００が閉じた状態を検出し且つ回転センサ１８５が表示部１２０が内向きであることを検出した場合には表示部１２０への表示はＯＦＦとされる。１９０はカメラ付き携帯電話の姿勢が縦位置であるか、横位置であるかを検出する姿勢センサである。
前記各部は制御部１７０に接続されている。制御部１７０は前記各部による処理を制御する。
【００３０】
図５はストレージ装置２００の概略構成を示したブロック図である。ストレージ装置２００は、ブルーツース通信部２１０、ストレージ部２２０、画像処理部２３０、信号変換処理部２４０、画像信号出力部２５０、インターネット接続部２６０等からなる。前記各部は制御部２７０に接続されている。制御部２７０は前記各部による処理を制御する。ストレージ装置２００は、ブルーツース通信部２１０によりカメラ付携帯電話１００からの画像を受信し、画像処理部２３０で所定の画像処理を加えた上で信号変換処理部２４０に入力すると共にストレージ部２２０に記録する。
【００３１】
また、ストレージ部２２０は、記録した画像をテレビ３００に出力するよう求める画像要求に応じて要求された画像を信号変換処理部２４０に出力する。信号変換処理部２４０は、入力された画像の信号をテレビ３００での表示用のアナログＡＶ信号、又はデジタルのＤ１信号又はＤ４信号に変換してＡＶ端子、Ｄ１端子、Ｄ４端子を有する画像信号出力部２５０のいずれかの端子を介してテレビ３００に出力する。
【００３２】
図６は高精細・大画面テレビ３００の概略構成を示したブロック図である。テレビ３００は市販の高精細・大画面テレビ、例えばハイビジョン放送対応のＨＤ（High Definition）テレビであり、電源スイッチ３０１、テレビ放送の電波を受信しテレビ信号に変換する放送受信部３１０、ＤＶＤ装置、ＶＴＲ装置などの外部装置からの信号が入力されるＡＶ端子、Ｄ１端子、Ｄ４端子を有する外部信号入力部３２０、テレビ放送や外部装置からの画像を表示する表示部３３０、表示部３３０への表示をテレビ放送画像と外部装置からの画像とで切り換える入力切換部３４０、入力切換部３４０からの画像に基づいて表示部３３０に画像表示信号を出力する表示処理部３４５、赤外通信部３５０などを備える。前記各部は制御部３７０に接続されている。制御部３７０は前記各部による処理を制御する。
【００３３】
赤外通信部３５０はテレビに付属のリモートコントローラから視聴チャンネルの切換、音量調節、表示制御部３４０による表示画像の切換などのテレビ制御信号を受信する。
外部信号入力部３２０とストレージ装置２００の外部信号入力部２５０との間はＡＶケーブル、Ｄ１ケーブル又はＤ４ケーブルによって接続され、ストレージ装置２００からの画像信号が入力される。そして、表示制御部３４０が表示画像を外部入力信号に基づく画像に切り換えたとき、ストレージ装置２００からの前記画像がテレビ３００に表示される。携帯電話１００は赤外通信部１５０から表示制御部３４０に表示部３３０への表示画像をストレージ装置２００からの画像に切り換えさせる入力切替信号を出力する。即ち、カメラ付携帯電話１００によりストレージ装置２００からの画像をテレビ３００に表示させることができる。逆に、ストレージ装置２００からの画像を表示した状態からテレビ放送の表示に戻すこともできる。
【００３４】
図７は図１のシステムによるカメラ付携帯電話１００による画像撮影から該撮影画像がテレビに表示されるまでの操作及び処理の手順の概要を示す図である。なお、同図の右側に主として処理を担当する機器を示したが、その機器のみで処理することを示すものではなく他の機器と協動して行う処理もある。
【００３５】
図７のステップＳ１では、操作者がカメラ付携帯電話１００で被写体を撮影する。撮影された画像は一時記憶メモリに記憶され、必要に応じてなされる保存操作に応じて記録部１４０に記録される。この操作は通常、操作者が外出先で行うものである。
【００３６】
以降のステップは操作者が帰宅して後、テレビ３００の前で行う操作であり、ステップＳ３からステップＳ７は、実際には一つの操作に応じて自動的に、極めて短時間（瞬時若しくは数秒以内）に行われる。なお、ステップＳ１からステップＳ２の間に数日の隔たりがある場合もある。いずれにしても、ステップＳ２以降は操作者が過去に撮影した画像を今すぐにテレビ画面で見たいという欲求を起こすまでは実行されることはない。
【００３７】
さて、ステップＳ２では、記録部１４０に記録された画像を再生し、操作者がテレビで見たい一つの画像を表示部１２０に表示させる。
ステップＳ３では、操作者が撮影画像をストレージ装置２００に送信する操作をする。この操作は所定の押しボタンを押すなどの単一の操作である。このステップＳ３では、カメラ付携帯電話１００は、選択された画像とこれに関連する関連情報とを記録部１４０から読み出してブルーツース通信部１６０を用いてストレージ装置２００に送信する。
【００３８】
ステップＳ４では、ストレージ装置２００がブルーツース通信部２１０で前記画像と前記関連情報を受信する。
ステップＳ５では、画像処理部２３０が前記画像に対し所定の画像処理を加える。前記所定の画像処理はカメラ付携帯電話１００で撮影した画像をテレビ３００に表示するのに適した画像とするための処理である。なお、画像データ以外の情報はブルートゥース通信部２１０から直接ストレージ部２２０に入力される。
【００３９】
ステップＳ６では、前記処理画像に基づく画像信号を画像信号出力部２５０を介して高精細テレビ３００の外部信号入力部３２０に入力する。
ステップＳ７では、カメラ付携帯電話１００の赤外通信部１３０からの入力切換信号をテレビ３００の赤外通信部３５０が受信する。これによって、テレビ３００は通常のテレビ放送表示モードから外部信号表示モードに切り替わる。なお、カメラ付き携帯電話１００はストレージ装置２００から画像処理部２３０による画像処理が完了したことを示す信号を受けて前記入力切替信号を出力する。又は画像処理部２３０による画像処理が完了したと推定できる時に前記入力切替信号を出力する。
【００４０】
ステップＳ８では、テレビ３００が、外部信号入力部３２０に入力された画像信号に基づいて前記処理済み画像を表示部３３０に表示する。
以上の手順により、カメラ付携帯電話１００に対する単一の操作のみで、カメラ付携帯電話１００のカメラ部１１０で撮影した画像が、より美しい画像として高精細テレビ３００に表示される。大型の高精細テレビに表示するので、カメラ部１１０の高画素数の効果が有効に発揮される。
【００４１】
ステップＳ６からステップＳ８と平行してステップＳ６１の処理が行われる。ステップＳ６１では、前記画像処理を加えた処理済み画像をストレージ部２２０に記録する。
--撮影--
図７のステップＳ１を詳細に説明する。
【００４２】
カメラ付携帯電話１００は所定の操作をすることにより、カメラモードに入る。カメラモードに入った直後は通常、カメラ部１１０によってカメラ付き携帯電話１００の表示部１２０に表示したり、他のカメラ付き携帯電話に送信したりするのに適したデータ量の画像サイズで被写体を撮影することが可能な状態（撮影モード）となっている。前記撮影モードで撮影した画像は解像度が低いのでテレビのような大画面表示装置での鑑賞には適していない。
【００４３】
前記撮影モードにおいて、更に所定の操作をすると、撮影に関する種々の設定や撮影した画像の取り扱いに関する種々の設定をすることができる。例えば、撮影画像の画像サイズや画質を設定したり、連写やブラケット連写を設定することができる。また、撮影してカメラ付携帯電話内部の記録部に記録した画像を表示部１２０に再生表示させて鑑賞することができる。前記各種設定はその設定を行う処理の実行を指示する機能が割り付けられたカメラ付携帯電話１００の各操作ボタン、例えば数字キーなどを押すことによって実行される。操作方法の詳細や機能は市販されているカメラ付携帯電話で周知であるので説明を省略する。
【００４４】
テレビのような大画面表示装置での鑑賞に適した解像力の高い画像を撮影をするためには前記画像サイズの設定において高画素数の画像サイズを設定すればよい。前記高画素数の画像サイズで撮影した画像を図７のステップＳ２以降の対象としても良いが、高精細・大画面テレビでの鑑賞により好適な状態で撮影した画像を用いることが好ましい。前記各種設定の一つにこのような撮影を支援するための設定機能がある。以下、その機能を用いた場合の撮影について説明する。
【００４５】
所定の操作をすると前記設定を行うためのメニュー（図８）が表示部１２０に表示される。前記設定を終了すると撮影可能な状態に戻る。前記テレビ鑑賞に適した画像を撮影するための設定がなされた撮影可能な状態をＴＶ画像撮影モードという。
【００４６】
図８のメニューは、テレビに表示する画像の形状を設定するためのものである。
「１．標準形状」  を選択するとアスペクト比３：４の画像サイズが設定される。
「２．ハイビジョン形状」  を選択するとアスペクト比９：１６の画像サイズが設定される。
【００４７】
前記のいずれかを選択すると図８のメニューによる設定を終了してＴＶ画像撮影モードでの撮影が可能となる。ＴＶ画像撮影モードでは、警告部１７５が撮影画像を高精細・大画面テレビでの鑑賞に好適な状態で撮影するように警告を表示する。
【００４８】
例えば、カメラ付携帯電話１００の表示部１２０にカメラ付携帯電話１００を撮影画像が横長画像（横画像）となる姿勢とするように警告する表示を行う。横長であるテレビの表示部を有効に使用するため、及び撮像部１１１の撮像素子の解像度を有効に用いるためである。
【００４９】
図３に示したようにカメラ付携帯電話１００の外形は長方形であり、表示部１２０も長方形で両者の長手方向は同一方向である。カメラ部１１０で撮影した撮影画像も長方形であるが、その長手方向も同一方向である場合が多い。その場合、カメラ付携帯電話１００を横にして横画像を撮影することが好ましい。撮像部１１１の撮像素子のアスペクト比は３：４かそれに近い値であるので、撮影した横画像全体がテレビの表示部一杯に表示される。
【００５０】
そこで、「携帯電話を横にして撮影して下さい」という警告をカメラ付き携帯電話１００に表示する。開閉センサ１８０がカメラ付き携帯電話１００が閉じた状態であることを検知し且つ回転センサ１８５が表示部１２０が内向きであることを検知した場合には表示部１２０が外部から見えないので副表示部１２５に表示する。図９にカメラ付き携帯電話１００を閉じて且つ横にして撮影する場合のカメラ付き携帯電話１００の保持状態を示す。
【００５１】
前記警告は、開閉センサ１８０がカメラ付き携帯電話１００が開いた状態であることを検知した場合は表示部１２０に表示する。しかしながら、カメラ付き携帯電話１００を開いて撮影する場合には、カメラ付き携帯電話１００を図３のように縦姿勢にして撮影する場合が多い。その場合には縦位置の画像が撮影される。
【００５２】
そこで、以下のような警告としても良い。カメラ付き携帯電話１００が有している開閉センサ１８０がカメラ付き携帯電話１００が開いた状態であることを検知した場合は、図１０に示すように表示部１２０に図８のメニューで設定された表示画像の形状を示す枠線１２１をその長手方向を横方向にして表示する。前記枠線１２１の形状は図８のメニューにおいて選択したアスペクト比の長方形である。枠線１２１は表示部１２０に表示している画像のうち、テレビ３００に表示される範囲を示している。なお、実際に撮影される画像は通常の撮影モードでの撮影画像と同じである。但し、ＨＤテレビの解像力を十分に活用するためには撮像部１１１がより高画素であることが求められる。カメラ付携帯電話の高画素化のスピードから推測すれば近い将来実現されるものと思われる。
【００５３】
前記警告の別の方法として、枠線１２１を表示することに代えて、表示部１２０に表示する画像を枠内１２１内の画像としても良い。また、いずれの場合も記録部１４０に記録する画像も前記枠１２１内の画像としても良い。なお、前記枠線１２１の撮影画像中における位置や形状は前記画像の関連情報の一つである。
【００５４】
カメラ付携帯電話が前記第１の部分を回転することができない構造である場合には、表示部１２０への警告は開閉センサ１８０がカメラ付携帯電話が開状態であることを検出した場合にのみするようにすれば良い。
【００５５】
いずれの場合にも、姿勢センサ１９０の出力がカメラ付携帯電話の姿勢が横位置であることを示すものである時は前記警告表示をせず、縦位置であることを示すものである時のみ前記警告表示を行うようにしても良い。
【００５６】
操作者は、表示部１２０や副表示部１２５に表示されるメッセージや表示部１２０に表示される枠線１２１などの警告にしたがって被写体を撮影する。ＴＶ画像撮影モードにおいてカメラモードに入るための所定の操作がなされるとカメラ付携帯電話１００はＴＶ画像撮影モードを終了して通常の撮影モードとなる。また、カメラ付携帯電話１００の他の機能を動作させるなど、カメラモードを終了させる操作がなされたときにはＴＶ画像撮影モードを終了した上でカメラモードを終了する。
以下、図１１を参照しながらＴＶ画像撮影モードの処理の手順の一例を説明する。
ＴＶ画像撮影モードの機能を用いるための所定の操作をすることにより図１１に示すが開始される。
【００５７】
ステップＳ１１では、表示部１２０に図８のメニューを表示してテレビに表示する画像の形状を選択させる。
ステップＳ１２では、姿勢センサ１９０の出力によってカメラ付携帯電話１００が横位置か縦位置かを判定する。横位置であればステップＳ１３に、縦位置であればステップＳ１７に進む。
【００５８】
ステップＳ１３では、開閉センサの出力によってカメラ付携帯電話１００が開いた状態にあるか、閉じた状態にあるかを判定する。開いた状態であればステップＳ１４に、閉じた状態であればステップＳ１４１に進む。
【００５９】
ステップＳ１４では、表示部１２０に「携帯電話を横にして撮影して下さい」と表示する。或いは表示部１２０にステップＳ１で選択された画像形状を示す枠線１２１を表示する。
【００６０】
ステップＳ１４１では、回転センサ１８５の出力により表示部１２０が内向きか外向きかを判断し、内向きであればステップＳ１４２に進み、外向きであればステップ１４に進む。
【００６１】
ステップＳ１４２では、副表示部１２５に「携帯電話を横にして撮影して下さい」と表示してステップＳ１５に進む。
ステップＳ１５では、姿勢センサ１９０の出力によってカメラ付き携帯電話１００が横位置か縦位置かを再び判定する。横位置であればステップＳ１６に、縦位置であればステップＳ１７に進む。
【００６２】
ステップＳ１６では、表示部１２０又は副表示部１２５に表示した警告表示を中止してステップＳ１７に進む。
ステップＳ１７では、操作者の撮影操作に応じて被写体を撮影し記録部１４０に記録する。
【００６３】
ステップＳ１８では、ＴＶ画像撮影モードを終了させる操作がなされたかを判定し、されていればステップＳ１９に進み、されていなければステップＳ１７に戻り更に撮影を続ける。
【００６４】
ステップＳ１９では、ＴＶ画像撮影モードを終了して処理を終える。
なお、ステップＳ１１の処理は適宜省略しても良い。その場合には「携帯電話を横にして撮影して下さい」のメッセージによる警告のみが行われる。または、予め決められた表示画像形状による警告が行われる。また、ステップＳ１２、ステップＳ１３も夫々適宜省略しても良い。その場合にはカメラ付携帯電話１００の姿勢や開閉状態に関わらず警告が行われる。
【００６５】
更に、ステップＳ１２で、カメラ付携帯電話１００が横位置であると判定された場合、ステップＳ１１で選択された表示画像の形状が通常形状かハイビジョン形状かを判断し、通常形状であればステップＳ１７に進み、ハイビジョン形状であればステップＳ１４に進むようにしても良い。その場合、ステップＳ１４では長手方向を横方向とするハイビジョン形状の枠線を表示部１２０に表示する。
【００６６】
図７のステップＳ７において、上記のようにして撮影し記録された画像から操作者がテレビで見たいと思う画像が選択のために表示部１２０に再生表示される。その際、前記警告として表示された枠線が再生画像上に表示される。これによって、その画像をテレビで鑑賞した場合にテレビに表示される画像の範囲を予め確認することができる。
【００６７】
次に第１の実施形態におけるカメラ付き携帯電話１００、ストレージ装置２００、テレビジョン３００のそれぞれについて個別に動作を説明していく。
図１２〜図１６はカメラ付き携帯電話１００における動作を説明するフローである。この実施例では、通常のテレビジョン３００の外部信号入力部３２０（AV入力、D1入力、D4入力など）とストレージ装置２００の画像信号出力部２５０とがケーブルによって接続される。このストレージ装置２００のブルートゥース通信部２１０かカメラ付き携帯電話１００のブルートゥース通信部１６０との間でブルートゥースを使用した交信が可能である。カメラ付き携帯電話１００からブルートゥース通信によって受信した画像データをテレビジョン３００での鑑賞に堪える画像に画像処理すると共に、テレビジョン３００の外部入力の規格にあった信号に変換して外部信号入力部３２０に出力する。
【００６８】
また、画像処理した画像データを記憶するストレージ部２２０も持っており、カメラ付き携帯電話１００から受信した画像については、次回から改めて送信を受けなくても、単に画像データのファイル名を指定するだけで、ストレージ部２２０に記憶している画像データをテレビジョン３００に出力することが可能である。
【００６９】
図１２はカメラ付き携帯電話１００における動作の基本フローを示している。本フローはカメラ付き携帯電話１００の電源を入れることによってスタートし、再生モード割り込みステップＳ１０１、撮影モード割り込みステップＳ１０２、および画像処理ソフト受信割り込みステップＳ１０３をそれぞれ可能にして待機状態に入る。再生モード割り込みステップＳ１０１、および撮影モード割り込みステップＳ１０２は、それぞれ、カメラ付き携帯電話１００の動作モードの一つであるカメラモードにおいて更に再生モード、または撮影モードを使用者が選択することによってかかる割り込みである。
【００７０】
一方、画像処理ソフト受信割り込みステップＳ１０３はカメラ付き携帯電話１００が画像処理ソフト提供業者から新しい画像処理ソフト（その携帯電話専用の改良版更新画像処理ソフトまたは共用の新画像処理ソフト）をカメラ付き携帯電話１００が携帯電話回線によって受信することによってかかる割り込みである。
【００７１】
図１３はカメラ付き携帯電話１００の再生モードを説明するフローである。図１３において使用者がカメラ付き携帯電話１００の操作部１３０を操作して再生モードを選択すると、再生モード割り込みがかかり、図１３のフローがスタートする。テレビ画面での表示は再生モードにおいて行うので、まずテレビ表示用の割り込みが可能にされる（ステップＳ１１１）。その上で、撮影済みの最新画像がカメラ付き携帯電話１００の表示部１２０に表示される（ステップＳ１１２）。次に再生モード終了割り込みが可能にされる（ステップＳ１１３）。これは、撮影モードの選択またはカメラモードの終了のためにカメラ付き携帯電話１００の操作部１３０を使用者が操作したとき、再生モードから抜けるためのものである。
【００７２】
そして、ステップＳ１１４で画像選択操作があるかどうかを待ち、サムネイル画像による選択または画像送りなどの画像操作があれば、これに応じてステップＳ１１５で再生画像を変更する。再生モードから抜ける操作または画像選択操作がない限り、携帯電話のモニター画面には、ある画像が表示されたままの状態で待機となる。
【００７３】
再生モードにおいて、カメラ付き携帯電話１００の表示部１２０に現在表示されている画像をテレビジョン３００の大画面３３０で鑑賞したいときは、カメラ付き携帯電話１００の送信釦１３３を操作してテレビジョン３００に画面表示をするよう指示する。これによってテレビ表示用の割り込みがかかり、図１４に示すテレビ表示用のフローがスタートする。このフローはカメラ付き携帯電話１００の表示部１２０に現在表示されている画像がテレビジョン３００の画面で表示されるまで、以後の操作者の操作なしに自動的に実行される。テレビジョン３００の画面での表示が実現するまでの時間は、操作者にストレスを感じさせない数秒以内程度の極めて短時間である。
【００７４】
図１４にテレビ表示用割り込みのフローを示す。ここで、テレビジョン３００は自身の表示部３３０のオンオフ状態を判別しその結果を赤外通信手段によって外部と通信することが可能である。なおここで、テレビジョン３００の電源がオフされているとは少なくとも表示部３３０がオフしている状態をさす。
【００７５】
図１４に示すテレビ表示用フローがスタートすると、ステップＳ１２１でテレビジョン３００の電源がオンかどうかがカメラ付き携帯電話１００とテレビジョン３００との赤外通信によってチェックされ、テレビジョン３００の電源がオフであれば、ステップＳ１２２でこれをオンとするための赤外信号が自動的に送信される。元々テレビジョン    ３００の電源がオンで放送画像鑑賞中であれば何もせずステップＳ１２３に進む。
【００７６】
ステップＳ１２３では、カメラ付き携帯電話１００の表示部１２０に表示されているデータが既にテレビジョン３００に送信したものであるかどうかがチェックされる。未送信であればステップＳ１２４に進み、送信済みであったならステップＳ１３４に進む。
【００７７】
ステップＳ１２４ではストレージ装置２００とのブルートゥース通信によって、そのカメラ付き携帯電話１００からの画像データを処理するための何らかのソフトをストレージ装置２００が保有しているかどうかがチェックされる。処理ソフトの保有が全くなければステップＳ１２５でブルートゥース通信によってカメラ付き携帯電話１００からストレージ装置２００に最新の画像処理ソフトが自動的に送信される。これは、ストレージ装置２００にとって今まで交信したことのない新しいカメラ付き携帯電話１００から始めてアクセスがあった場合に相当する。
【００７８】
一方、ストレージ装置２００がカメラ付き携帯電話１００に対応した何らかの画像処理ソフトを保有していれば、それが旧バージョンのものであったとしても、この段階では何もせずステップＳ１２５に進む。その理由は後述する。
【００７９】
以上の処理の後、ステップＳ１２７でブルートゥース通信による画像データの送信が開始され、これを受けたストレージ装置２００側での画像処理も開始する。ステップＳ１２８では、ストレージ装置２００側での画像処理進行状況をカメラ付き携帯電話１００とのブルートゥース通信によってチェックする。ステップＳ１２７では画像データ送信の完了を確認する。ステップＳ１２８ではストレージ装置２００側での画像処理の完了を確認する。これはストレージ装置２００からの画像処理完了信号をブルートゥース通信によってカメラ付き携帯電話１００が受信することによって確認される。ステップＳ１２９においてカメラ付き携帯電話１００は自身が記憶している送信済みの画像データのヘッダ情報に「済」のマークを付与する。
【００８０】
以上でストレージ装置２００が画像データをテレビジョン３００に送信できる準備が整ったので、ステップＳ１３０でカメラ付き携帯電話１００はテレビジョン３００に対し、画面表示を通常のテレビ放送の画面から外部入力の画面に切り替えるための赤外信号を自動的に送信する。
カメラ付き携帯電話１００からのテレビジョン３００での画像鑑賞の指示が行われ、図１４に示すテレビ表示用のフローがスタートした直後にこの信号をテレビジョン３００に送信しない理由を次に述べる。もしストレージ装置２００での画像送信の準備が整わないうちに大画面３３０に表示する入力が切り替われば、テレビ放送もストレージ装置２００からの画像も大画面３３０に表示されない空白の瞬間が生じる可能性があるので、これを避け、両者の画像が瞬時に切り替わるようにするためである。
【００８１】
また、ステップＳ１２８でストレージ装置からの画像処理信号を受信する代わりに、カメラ付き携帯電話１００側で画像処理に要するであろう時間を予め設定しておいて、この設定した時間が経過したならテレビジョン３００の画面を切り換える赤外信号をカメラ付き携帯電話１００から送信するようにしても良い。この設定時間とは画像データの処理に要する時間である。ただし、少々の不一致であっても画面の切り替わり時に鑑賞者が不自然に感ずることはほとんどない。
【００８２】
ステップＳ１２３で、カメラ付き携帯電話１００の表示部１２０に表示されているデータが既にストレージ装置２００に送信したものであった場合は、ステップＳ１３４で送信済みデータを指定するブルートゥース信号をカメラ付き携帯電話１００からストレージ装置２００に送信する。そして、ステップＳ１３５で両者間のブルートゥース通信によってストレージ装置２００では以前に既にカメラ付き携帯電話１００から送られてきていた画像データの検索および抽出された圧縮画像データの伸張などの再生準備が整ったかどうかのチェックが行われる。再生準備が完了すると、ステップＳ１３０に進んでここで、カメラ付き携帯電話１００はテレビジョン３００に対し、画面表示を通常のテレビ放送の画面から外部入力の画面に切り替えるための赤外信号を自動的に送信する。
【００８３】
ステップＳ１２３のチェック結果がいずれであったかについては、カメラ付き携帯電話１００の操作者にとってどちらでもいいことで、テレビ放送から外部入力への切り替えが自動的に行われた段階で、操作者はその経緯を全く意識せず、カメラ付き携帯電話１００の表示部１２０に表示されていた画像がテレビジョン３００の大画面３３０に表示されるという機能を享受できる。
【００８４】
以上が実現したあと、ステップＳ１３１でカメラ付き携帯電話１００はストレージ装置２００とのブルートゥース通信によってストレージ装置２００が保有している画像処理ソフトがその携帯電話にとって最新のものであるかどうかをチェックする。そして、答えがノーであればステップＳ１３２に進んで最新の画像処理ソフトをブルートゥース通信によってストレージ装置２００に送信する。この処理を最後に行う理由は、ストレージ装置２００がカメラ付き携帯電話１００に対応した何らかの画像処理ソフトを持っていた場合であっても、まず、旧バージョンのソフトによってテレビジョン３００での表示を急ぐことを優先し、操作者にストレスを与えないためである。
【００８５】
最後に、ステップＳ１３３でテレビ表示の終了をするための割り込みがかかることを可能にしたあと、フローは待機状態に入る。
再生モードにおいて、操作者が撮影モードを選択したり、カメラモードを終了するためにカメラ付き携帯電話１００を操作したとき、再生モードを終了する割り込みがかかり、図１５に示す再生モード終了フローがスタートする。
【００８６】
図１５において、ステップＳ１４１で所定の再生モード終了処理を行う。この所定の処理としては、例えば、新しい画像の読み出し動作途上やテレビジョン３００への画像送信途上に再生モード割り込みがかかった場合などに以後の処理に支障をきたさないようにするための処理がある。ステップＳ１４１の処理が終ったあと、ステップＳ１４２でその割り込みがどのような条件下でかかったのかがチェックされる。すなわち、テレビジョン３００が外部入力状態に切り換わり、ストレージ装置２００からの画像を再生させていた状態だったのか、それとも単にカメラ付き携帯電話１００の表示部１２０で画像を再生しているだけでテレビジョン３００に対して何も指示をしていなかった状態だったのかがチェックされる。前者の場合はステップＳ１４３で所定のテレビ表示終了用の処理（詳細は後述）を行ってから、また、後者の場合は何もせず、待機状態に入る。
【００８７】
図１６は図１５におけるテレビ表示終了用の処理ステップＳ１４３の詳細を示している。まず、テレビジョン３００が外部入力状態となっているので、ステップＳ１５１では、これを通常のテレビ放送への入力状態に切り替えるための赤外信号をカメラ付き携帯電話１００からテレビジョン３００に送信する。これによって、テレビは自動的に通常状態に復帰する。
【００８８】
次にステップＳ１５２でカメラ付き携帯電話１００の操作によって前述したテレビ表示用フローに入った際の履歴がチェックされる。すなわち、テレビ電源を携帯電話からのオン用赤外信号送信によってオンしてテレビ表示フローに入ったのか、それとも受信放送の鑑賞中にこれを中断してテレビ表示フローに入ったのかがチェックされる。前者の場合は、テレビ電源をオフすることが適当であるので、ステップＳ１５３でそのための赤外信号をカメラ付き携帯電話１００からテレビジョン３００に送信する。後者の場合は通常のテレビ放送の鑑賞状態に復帰するのが適当であるからテレビ電源をオフすることなしに、処理を終了する。
【００８９】
図１７はストレージ装置２００の動作の基本フローである。ストレージ装置２００は常に待機状態であることが前提なので、ストレージ装置２００のメイン電源を入れると基本フローに入り、ステップＳ１６１でカメラ付き携帯電話１００からの信号による割り込みを可能とし、何時カメラ付き携帯電話１００からアクセスがあっても対応できるよう待機する。
【００９０】
ストレージ装置２００はインターネットによって画像処理ソフト提供業者と常時交信状態にあり、携帯電話の新機種が発売されたときはその機種に適合した画像処理ソフトの提供を受ける契約がなされている。この契約はユーザのその新機種の購入の有無によらない。
【００９１】
また、これ以外にも、携帯電話の使用者が新機種ではない同一メーカーの他の携帯電話を新規に購入した場合や他のメーカーの携帯電話を新規に購入した場合でも同様に画像処理ソフトの提供を受ける契約を結ぶことは可能である。以下の説明では新規に発売された機種に対する契約がされているとして説明するが上述した他の契約の場合であっても新機種の場合と同様である。
【００９２】
新機種の画像処理ソフトが画像処理ソフト提供業者からインターネットで供給された場合に、ステップＳ１６２で示されるように割り込みがかかりこれに対処することが出来るよう、新機種割り込みが可能とされる。
【００９３】
さらに、すでにストレージ装置２００がなんらかの画像処理ソフトを保有している場合であったとしても、画像処理ソフト供給業者からは発売済み携帯電話専用の改良版更新画像処理ソフトまたは各種携帯電話共用の新画像処理ソフトの情報がインターネットを通じて提供される。この場合にも対処することができるよう、ステップＳ１６３で新画像処理ソフト受信割り込みが可能とされる。以上の処理が行われた状態で、ストレージ装置２００は待機状態となっている。
【００９４】
ブルートゥース通信を通じ、カメラ付き携帯電話１００からテレビジョン３００で表示させるためのアクセスがあるとストレージ装置２００において携帯電話信号受信の割り込みがかかり、ストレージ装置２００におけるテレビ表示用のフローがスタートする。これについて図１８のフローを使用して次に説明する。
【００９５】
図１８ステップＳ１７１では、カメラ付き携帯電話１００からのブルートゥース信号が、既に受信済みの画像データを指定するものであるかどうかがチェックされる。答えがノーであれば、ブルートゥース通信によって画像データが送信されてくることを意味するからステップＳ１７２に進み、画像データの送信の前に画像処理ソフトがブルートゥース通信で送信されてきたかどうかをチェックする。もし、画像処理ソフトの送信があればステップＳ１７３でこれをストレージ装置２００のストレージ部２２０に格納する。ここで、画像処理ソフトが以前に既に送られていて、この送信されてきた画像処理ソフトがバージョンアップされた新しい画像処理ソフトであった場合の処理には二種類ある。まず、新しい画像処理ソフトがその携帯電話に特有でない共用の新ソフトでその機能を利用するのに新たな契約が必要な場合には両方の画像処理ソフトを格納しておく。一方、その携帯電話専用の契約済みのソフトである場合には、旧バージョンを上書きして新バージョンのソフトを格納する。もし、ステップＳ１７２において画像処理ソフトの送信がなかったことがわかれば、何もせず次に進む。
【００９６】
この後、ブルートゥース通信によるカメラ付き携帯電話１００から実際の画像データの送信が始まり、ステップＳ１７４でこれの完了を待つ。画像データの送信が完了したならば、ステップＳ１７５で受信した画像データに対して契約済みの最新の画像処理ソフトを使用して画像処理を行う。このステップＳ１７５については図２０を用いて後に詳細に説明する。ステップＳ１７６において画像処理が完了したならばステップＳ１７７でテレビジョン３００に接続されている画像信号出力部２５０に画像信号を出力する。
【００９７】
以上の後、カメラ付き携帯電話１００の赤外通信部１５０からテレビジョン３００の赤外通信部３５０に外部入力切換のための赤外信号が送信されればストレージ装置２００から出力されている画像信号がテレビジョン３００に表示されることになる。
【００９８】
ステップＳ１７１に戻って、カメラ付き携帯電話１００からのブルートゥース信号が、既に受信済みの画像データを指定するものであった場合は、ステップＳ１７９０でその指定に従って、既に所定の処理ソフトで処理され、更に圧縮されてストレージ部２２０に記憶している画像データを検索する。ステップＳ１８００では該当するデータ抽出されたならばこれを伸張し、ステップＳ１８１０で伸張が完了すればステップＳ１７７で出力端子に画像信号を出力する。この場合も、カメラ付き携帯電話１００の赤外通信部１５０からテレビジョン３００の赤外通信部３５０に外部入力切換のための赤外信号が送信されればストレージ装置２００から出力されている画像信号がテレビジョン３００に表示されることになる。なお、カメラ付き携帯電話１００から指定された画像データが他のストレージ装置に既に送信済みであった場合には本ストレージ装置にはまだ指定画像データが受信されていない。その場合、ステップＳ１７９の画像データ検索の次に画像データの有無を判別するステップを挿入すればよい。この挿入したステップにおいて、画像データがあった場合にはステップＳ１８０に進み、画像データがなかった場合にはカメラ付き携帯電話１００に画像データを送信するよう指示する信号を送出するステップを更に挿入し、その後はステップＳ１７２に進む。
【００９９】
以上が実現したあと、ステップＳ１７８で携帯電話からその携帯電話にとって最新の更新画像処理ソフトが送信されるかどうかをチェックする。もし、最新の更新画像処理ソフトの受信があればステップＳ１７９の新画像処理ソフトの取り扱いステップに入る。このステップＳ１７９については後に図１９を用いて詳細に説明する。受信がなければ何もせずステップＳ１８０に進む。
【０１００】
ストレージ装置２００では、テレビジョン３００に出力した画像データの圧縮を行った後ステップＳ１８０でストレージ部２２０にこれを保存する。これによって、新たに送信されてきた画像データの場合は、以後はその画像データ名の指定だけでこれをテレビジョン３００に出力して表示することが可能となる。また、後述する改良版の新たな画像処理ソフトによって作成された画像データは圧縮後、旧処理ソフトで処理された画像データに上書き保存する。なお、カメラ付き携帯電話１００から送られてきた画像処理されていないオリジナルの画像データも保存しておく。これは、もしも今後異なった画像処理ソフトが送られてきた場合には、このオリジナル画像データに対して処理を施すためである。保存処理が終了すればストレージ装置２００は待機状態になる。このとき特にカメラ付き携帯電話１００で何の操作もされなければ、ストレージ装置２００は同じ画像データのテレビへの出力を継続する。
【０１０１】
次に、図１９を使用して新画像処理ソフトの取り扱いの詳細を説明する。これは、図１７のストレージ装置２００の基本フローにおけるステップＳ１６３で割り込み可とされた新画像処理ソフト受信割り込みがかかったときの処理内容である。この割り込みは、インターネット経由で画像処理ソフト供給会社からアクセスがあり、新画像処理ソフトを受信したときにかかり、受信した新画像処理ソフトをその後どう取り扱うかを決めるものである。また、前述したように、図１９の新画像処理ソフトの取り扱いは、図１８のステップＳ１７９の内容でもある。つまり、図１９の新画像処理ソフトの取り扱いフローは、カメラ付き携帯電話１００が画像処理ソフト提供業者から新画像処理用ソフトを受信してそれをストレージ装置２００に転送した場合にも機能する。
【０１０２】
ステップＳ１８１では、受信した新画像処理ソフトが新機種用の画像処理ソフトであるかどうかがチェックされる。もし、新機種用の画像処理ソフトでなかったならばステップＳ１８２に進む。新機種のカメラ付き携帯電話１００から直接アクセスがあった場合には、それが初めての携帯電話からのアクセスであった場合でも、図１８のストレージ装置２００におけるテレビ表示用フローのステップＳ１７３においてこの新機種のカメラ付き携帯電話１００に対応した画像処理ソフトが既に格納されている。それ故、ステップＳ１８２に進む場合というのは、これまでにストレージ装置２００にアクセスしたことのあるカメラ付き携帯電話１００の更新された新たな画像処理ソフトまたは複数の機種で利用可能な共用の新画像処理ソフトを受信した場合である。ステップＳ１８２においては、この新たな画像処理ソフトが契約条件内かどうかのチェックが行われる。
【０１０３】
契約条件外であった場合には、ステップＳ１８３に進み契約条件内であったならばステップＳ１９０に進む。
ステップＳ１８３では、新画像処理ソフトの取り扱いフローが図１７のステップＳ１６３で可能とされた画像処理ソフト受信割り込みによってスタートしたものかどうかがチェックされる。画像処理ソフト受信割り込みによってスタートした場合は、テレビがオンしていなかったり、外部入力に切り替えられていなかったりする場合があるので、ステップＳ１８４に進みテレビオンおよび外部入力切替処理を行う。これでストレージ装置２００から画像を出力すればテレビでの表示が可能となるのでステップＳ１８５に進む。また、ステップＳ１８３において答えがノーだった場合は、図１８のステップＳ１７７に続く処理であり、テレビはオンしていて外部入力に切換済みであるから何もせずステップＳ１８５に進む。
【０１０４】
ステップＳ１８５では、受信済みの画像データをデモ用機能で画像処理し、その画像を旧機能により処理した画像と対比可能にテレビに出力するための所定のデモ機能を動作させ、新機能の性能をテレビ画面上でデモする。デモ用機能で画像処理された画像は表示専用であり、これを記憶することは出来ない。
【０１０５】
このデモの途中においてステップＳ１８６に示すように、テレビ画面上で新機能についても料金を支払うかどうかの新規契約の要否を問う表示を行う。もし使用者が契約の意思を示したときには、ステップＳ１８７に進み、テレビ画面上でのGUI機能とソフト提供業者との間のインターネット通信によって新契約の処理が行われる。そして新契約処理が完了するとステップＳ１８８でデモ用機能の限定が解除され、新ソフトはすべての機能が使用可能な状態となった上でステップＳ１８９でストレージ装置２００に格納される。従って新機能で処理した画像を記憶することが可能となる。一方新規契約が拒否された場合は新たなソフトはデモ用機能の限定がついたままストレージ装置２００に格納され、以後の実行を拒否する処理をしない限りは、所定のプログラムにしたがってデモが繰り返される。
【０１０６】
ステップＳ１８１で、初めての携帯電話からアクセスがある前にインターネットを通じて画像処理ソフト供給業者からアクセスがあった場合にはステップＳ１８８に進む。画像処理ソフト供給業者は、画像処理ソフトとタイアップした携帯電話へのレンズ供給を業としており、新機種の普及を図るため画像処理ソフトは無料で供給される。したがってこの場合にはすべての機能が利用可能な状態でストレージ装置２００に格納される。
【０１０７】
ステップＳ１８２で、新たな画像処理ソフトが契約条件内であった場合は、ステップＳ１９０で自動的にデモ用機能の限定は解除された後、ステップＳ１８９でストレージ装置２００に格納される。
【０１０８】
以上、いずれの場合でも、新画像処理ソフトの格納が終わると、新画像処理ソフトの取り扱いの手順が終了する。
図２０は図１８ステップＳ１７５のストレージ装置における画像処理を説明するフローである。図においてステップＳ１９１で、カメラ付き携帯電話１００からのブルートゥース信号により、使用すべき画像処理ソフトを判別する情報を検出する。この情報は画像処理ソフトを指定する特定のものであってもよいが、単にカメラ付き携帯電話１００の機種を特定する情報であってもよい。ストレージ装置２００は、通常、複数の携帯電話に対応して複数の画像処理ソフトを格納しているので、判別した情報に基づきステップＳ１９２でそのうちから一つを選択する。この場合、ストレージ装置２００が一つの画像処理ソフトしか格納していない場合はそれを選択する。
【０１０９】
次にステップＳ１９３でブルートゥース通信により送信されてくる画像情報のヘッダー部に撮影時の焦点距離などの撮影情報が含まれていないかどうかを検出する。画像処理ソフトは携帯電話のレンズの歪曲や倍率色収差などの諸収差を補正する機能も含まれているが、ズームレンズを有する携帯電話の場合、焦点距離によってその収差が異なってくる。このため、ズームレンズ機種を対象とする画像処理ソフトは焦点距離によって異なる収差補正をする機能を備えている。送信画像情報の中に焦点距離などの撮影情報含まれている場合には、ステップＳ１９４でその焦点距離などの撮影情報に応じて異なった画像処理を選択して実行するステップＳ１９４に進む。なお、撮影情報がない場合は、これに頼った画像処理は行わずにステップＳ１９５に進む。
【０１１０】
以上の過程を経て、送信画像に最適の画像処理が実行された後ステップＳ１９５でカメラ付き携帯電話１００のレンズで補正されていない歪曲、倍率色収差などの補正も実行される。このようにして、スペースやコストに自由度のあるストレージ装置２００側の機能により収差補正を行うことにより、スペースの限られたカメラ付き携帯電話１００に搭載する光学レンズについては収差を残存させたままとすることが可能となる。このようにして、テレビジョン３００に表示される画像を損なうことなく携帯電話自体の小型化やコストダウンが可能である。さらには、携帯電話１００側の光学設計による収差補正とストレージ装置２００側の画像処理による収差補正をうまくバランスさせることによりテレビジョン３００の表示画面で美しい画像を表示するためのもっともコストパフォーマンスのよい商品をシステムとして提供できる。
【０１１１】
図２１はカメラ付き携帯電話１００での画像処理ソフトの更新割り込みについて説明したフローである。図２１の割り込みは、カメラ付き携帯電話１００の基本フローの図１２において、カメラ付き携帯電話１００が画像処理ソフト提供業者から新しい画像処理ソフトを携帯電話回線によって受信することによってステップＳ１０３の画像処理ソフト受信割り込みがかかり、ソフト更新フローがスタートする。
【０１１２】
なお、カメラ付き携帯電話１００が画像処理ソフト提供業者から受信するソフトについては、カメラ付き携帯電話１００自体にインストールして使用するものと、ストレージ装置２００に転送することによって初めて機能するストレージ装置２００用の画像処理ソフトがあるが、以下では、これまで説明してきた後者の画像処理ソフトに限って説明する。
【０１１３】
通常のカメラ付き携帯電話１００に備わっているインターネット接続機能によって画像処理ソフト提供業者からのアクセスがあると、まずカメラ付き携帯電話１００はステップＳ２０１で新しい画像処理ソフトを受信する。受信する画像処理ソフトにはそのカメラ付き携帯電話１００特有の更新用のソフトの場合もあれば複数の機種で共用できるソフトの場合もある。この画像処理ソフトは、画像処理ソフト提供業者と携帯電話保持者との契約に応じ、契約条件内のソフトとしてその機能がすべて利用できる場合と、契約条件外であってデモ用機能だけが利用できる場合とがある。いずれも場合も、まずはデモ用機能だけが動くよう限定がかかっている。ステップＳ２０２において受信した画像処理ソフトが契約条件内であるかどうかの検出を行う。
【０１１４】
検出の結果、契約条件内であった場合、ステップＳ２０３でデモ用機能の限定が自動的に解除になり、そのすべての機能が利用可能な状態になったあとステップＳ２０４でカメラ付き携帯電話１００に格納される。一方契約条件外であった場合は、デモ用機能限定がかかったまま、ステップＳ２０４でカメラ付き携帯電話１００に格納される。
【０１１５】
以上のようにして新画像処理ソフトが格納されるとカメラ付き携帯電話１００は待機状態となる。カメラ付き携帯電話１００に格納された画像処理ソフトは、次にカメラ付き携帯電話１００からストレージ装置２００へのアクセスが行われる際、ストレージ装置２００に転送される。このように、ストレージ装置２００用の画像処理ソフトは、基本的にはカメラ付き携帯電話１００経由で最終的にストレージ装置２００にインストールされる。
【０１１６】
（実施例２）
第２の実施の形態のシステムは第１の実施の形態のストレージ装置２００を一部変更したものである。図２２は第２の実施の形態のストレージ装置２００Ａの構成を示すブロック図である。ストレージ装置２００Ａは第１の実施の形態のストレージ装置２００に赤外通信部２８０を加えたものである。赤外通信部２８０は第１の実施の形態のカメラ付き携帯電話１００の赤外通信部１５０に代わり入力切替信号をテレビ３００に出力する。
【０１１７】
この形態における動作フローについて次に説明する。まず、カメラ付き携帯電話１００の動作フローに関しては前述した図１４のカメラ付き携帯電話１００の動作フローにおいて、ストレージ装置２００における画像処理の完了をカメラ付き携帯電話１００が確認するステップＳ１２８と、テレビ３００にカメラ付き携帯電話１００からテレビ３００の入力切り換え用信号を送信するステップＳ１３０が不要となる。
【０１１８】
ストレージ装置の動作フローについては、前述した図１８の動作フローにおいて、ステップＳ１７６で画像処理の終了が検出されたならば出力端子に画像信号を出力することによりテレビ３００に画像信号を出力するステップＳ１７７に加えて、新たにテレビ３００にテレビの入力切り換え用信号を送信するステップを追加してやればよい。
【０１１９】
第２の実施の形態のシステムの変形として、赤外通信部２８０の代わりに、入力切替信号を生成して接続ケーブルによってテレビ３００に出力する入力切替信号出力部を設け、テレビ３００に入力切替信号を受けて表示制御部３４０に入力する入力切替信号入力部を設けても良い。
【０１２０】
（実施例３）
図２３は本発明の第３の実施の形態のシステムの概念を示す図である。第３の実施の形態のシステムは、ほぼ、図１のシステムのストレージ装置２００のブルートゥース通信部、画像処理部、ストレージ部などをストレージユニット４６０として高精細・大画面テレビに組み込んだシステムであり、カメラ付携帯電話１００と高精細・大画面のデジタル放送対応テレビジョン（デジタルテレビ）４００とで構成されている。
【０１２１】
カメラ付携帯電話１００からブルートゥース通信によって送出された画像は、ストレージユニット４６０のブルートゥース通信部４６１によって受信され、画像処理部４６３によって所定の画像処理を施され、外部信号表示モードに切り替えられたデジタルテレビ４００に表示される。
【０１２２】
図２４を基に図２３のシステムのデジタルテレビ４００の詳細を説明する。
デジタルテレビ４００はデジタルテレビ放送を受信する放送受信部４１０、ＤＶＤ装置、ＶＴＲ装置などの外部装置からの信号が入力される外部信号入力部４２０、テレビ放送や外部装置からの画像を表示する表示部４３０、表示部４３０への表示をテレビ放送と外部装置からの画像とで切り替える表示制御部４４０、赤外通信部４５０などを備える。デジタルテレビ４００は、更に、ブルーツース通信部４６１、画像処理部４６３、ストレージ部４６２などからなるストレージユニット４６０を備える。ブルーツース通信部４６１はカメラ付携帯電話１００のブルーツース通信部１６０と通信し、カメラ付携帯電話１００から撮影画像を受信する。画像処理部４６３は前記受信した画像に画像処理を加えて表示制御部４４０に出力すると共に入力切替信号を出力する。更にストレージ部４６２に前記画像を出力する。ストレージ部４６２は前記画像を記録する。また、ストレージ部４６２は記録した画像をテレビ３００に出力するよう求める画像要求に応じて表示制御部４４０に要求された画像を出力する。表示制御部４４０は画像処理部４６３及びストレージ部４６２からの画像を外部信号入力部４２０からの画像と同様に取り扱う。
【０１２３】
この第３の実施例における動作フローを第２の実施例と場合と同様、前述した図１４と図１８とを使用して説明する。まず、カメラ付き携帯電話１００の動作フローを説明した図１４において、本題３実施例の場合には画像処理部４６３での画像処理の完了を検出するステップＳ１２８と、テレビ３００にカメラ付き携帯電話１００からテレビ３００の入力切り換え用信号を送信するステップＳ１３０が不要となる。ストレージ装置の動作フローについては、前述した図１８の動作フローにおいて、ステップＳ１７６で画像処理の終了が検出されたならばステップＳ１７７で表示制御部４４０に画像処理済みの画像データを出力すると共に入力切替信号を出力するステップを追加してやればよい。
【０１２４】
この第３の実施例の変形として、テレビ３００の入力切換をカメラ付き携帯１００から送信するようにしても良い。その場合には、カメラ付き携帯電話１００の動作フローを説明した図１４において、ステップＳ１２８の代わりに、前述したようにカメラ付き携帯電話１００側で画像処理に要するであろう時間を予め設定するステップを挿入し、この設定した時間が経過したならばステップＳ１３０においてテレビジョン３００の画面を切り換える赤外信号を送信する。ストレージ装置の動作フローについては、前述した図１８の動作フローにおいて、ステップＳ１７６で画像処理の終了が検出されたならばステップＳ１７７で表示制御部４４０に画像処理済みの画像データを出力するステップを追加してやればよい。
【０１２５】
ここまで説明してきた実施例においては、カメラ付き携帯電話１００から送られた画像データに対して所定の歪み補正処理が終了した時点で初めてテレビジョン３００の表示画面を切り換える構成としていた。これによりテレビジョン３００の鑑賞者は歪みを処理している間でも無画面表示となることがないので快適な鑑賞をすることが出来る。
【０１２６】
（実施例４）
次に述べる第４実施例は、カメラ付き携帯電話１００からのテレビジョン３００での表示指示と同時にテレビジョン３００での表示を切り換えるようにしたものである。その際、前述した歪みを補正処理している期間はテレビジョン３００に予め記憶されている待ち受け画面を表示するようにして、鑑賞者が不快感を生じることのないようにしている。
【０１２７】
この場合においてもシステム構成及び動作フローは図１４及び図１８のフロー内の一部のステップを除いてこれまで述べた第１〜第３実施例と共通である。ここでは図１４及び図１８に対応した図２５及び図２６ついて説明する。図２５及び図２６において図１４及び図１８と同一の処理内容のステップについては同一のステップ番号で示す。
【０１２８】
図２５は図１４に対応したテレビ表示用割り込み動作を示すフローである。この図２５においてはステップＳ１２２とステップＳ１２３の間に新たにテレビ入力切換用赤外信号を送信するステップＳ１２２１が挿入されている。それに伴って、ステップＳ１２９とステップＳ１３１の間の、図１４では有ったテレビ入力切換用赤外信号送信のステップＳ１３０が省略される。これにより図２６で後述するが、ストレージ装置２００から出力された待ち受け用の所定画面がテレビジョン３００で直ちに表示される。
【０１２９】
図２６は図１８に対応したストレージ装置２００におけるカメラ付き携帯電話１００からの信号受信動作のフローである。図２６においても図１８と同様に、ブルートゥース通信を通じ、カメラ付き携帯電話１００からテレビジョン３００で表示させるためのアクセスがあるとストレージ装置２００において携帯電話信号受信の割り込みがかかり、ストレージ装置２００におけるテレビ表示用のフローがスタートする。このフローがスタートすると直ちに新たなステップＳ１７００において待ち受け用画面のデータが出力端子に出力される。この時、テレビジョン３００では図２５で説明したように、外部入力表示動作に切り替わっているのでこの待ち受け画面が表示される。
【０１３０】
更に、図１８においてはステップＳ１７６とステップＳ１７８との間で始めて画像信号を出力していたが、新たなステップＳ１７７０においてはそれまで出力していた待ち受け画面に代えて、携帯画面に対応した画像データの歪み補正等の処理が完了した画像信号を出力する。
【０１３１】
以上説明した新しい動作フローによりカメラ付き携帯電話１００からの表示指示により直ちにテレビジョン３００に待ち受け画面を表示することができる。更に、歪み等の補正処理が終了したならその画面を待ち受け画面に代えてテレビジョン３００で表示することが出来る。
【０１３２】
第２〜第４実施例に対応した待ち受け画面表示動作についても、この第１実施例の動作と同様に容易に理解することが出来る。
【図面の簡単な説明】
【０１３３】
【図１】第１の実施の形態のシステムの概念を示す図である。
【図２】カメラ付携帯電話の構成を示したブロック図である。
【図３】カメラ付携帯電話の外観を示した図である。
【図４】（Ａ）カメラ付携帯電話を折り畳んだ状態の外観図である。          （Ｂ）カメラ付携帯電話を折り畳んだ別の状態の外観図である。
【図５】ストレージ装置の構成を示したブロック図である。
【図６】高精細・大画面テレビの構成を示したブロック図である。
【図７】図１のシステムによる操作及び処理の手順の概要を示す図である。
【図８】テレビに表示する画像の形状を設定するためのメニュー画面である。
【図９】カメラ付き携帯電話を閉じて且つ横にして撮影する場合の保持状態を示す図である。
【図１０】テレビへの表示画像の形状を示す枠線を表示部に表示したカメラ付き携帯電話を示す図である。
【図１１】ＴＶ画像撮影モードの処理の流れの一例を示す図である。
【図１２】カメラ付き携帯電話の動作の基本フローを示す図である。
【図１３】カメラ付き携帯電話の再生モード割り込みを示すフローである。
【図１４】カメラ付き携帯電話のテレビへの表示割り込みを示すフローである。
【図１５】カメラ付き携帯電話の再生モード終了割り込みを示すフローである。
【図１６】テレビでの表示終了処理を示すフローである。
【図１７】ストレージ装置の動作の基本フローを示す図である。
【図１８】ストレージ装置での表示動作を示すフローである。
【図１９】ストレージ装置での画像処理を示すフローである。
【図２０】カメラ付き携帯電話での画像処理用ソフトを更新するフローである。
【図２１】ストレージ装置での新しい画像処理ソフトの取り扱いを示すフローである。
【図２２】第２の実施の形態のストレージ装置の構成を示すブロック図である。
【図２３】第３の実施の形態のシステムの概念を示す図である。
【図２４】図２３のシステムのデジタルテレビの構成を示したブロック図である。
【図２５】カメラ付き携帯電話のテレビへの表示割り込みを示す他のフローである。
【図２６】テレビでの表示動作を示す他のフローである。
【符号の説明】
【０１３４】
１００……カメラ付き携帯電話
１１０……カメラ部
１２０……表示部
１３０……操作部
１４０……記録部
１５０……赤外通信部
１６０……ブルートゥース通信部
１７０……制御部
１７５……警告部
１８０……開閉センサ
１８５……回転センサ
１９０……姿勢センサ
２００……ストレージ装置
２１０……ブルートゥース通信部
２２０……ストレージ部
２３０……画像処理部
２４０……信号変換処理部
２５０……画像信号出力部
２６０……インターネット接続部
２７０……制御部
２８０……赤外通信部
２００Ａ…ストレージ装置
３００……高精細・大画面テレビジョン
３１０……ＴＶ放送受信部
３２０……外部信号入力部
３３０……表示部
３４０……表示制御部
３５０……赤外通信部
３７０……制御部
４００……高品位・大画面デジタルテレビ
４６０……ストレージユニット
４６１……ブルートゥース通信部
４６２……画像処理部
４６３……ストレージ部
【図１】
2008010899.tif 000003
【図２】
2008010899.tif 000004
【図３】
2008010899.tif 000005
【図４】
2008010899.tif 000006
【図５】
2008010899.tif 000007
【図６】
2008010899.tif 000008
【図７】
2008010899.tif 000009
【図８】
2008010899.tif 000010
【図９】
2008010899.tif 000011
【図１０】
2008010899.tif 000012
【図１１】
2008010899.tif 000013
【図１２】
2008010899.tif 000014
【図１３】
2008010899.tif 000015
【図１４】
2008010899.tif 000016
【図１５】
2008010899.tif 000017
【図１６】
2008010899.tif 000018
【図１７】
2008010899.tif 000019
【図１８】
2008010899.tif 000020
【図１９】
2008010899.tif 000021
【図２０】
2008010899.tif 000022
【図２１】
2008010899.tif 000023
【図２２】
2008010899.tif 000024
【図２３】
2008010899.tif 000025
【図２４】
2008010899.tif 000026
【図２５】
2008010899.tif 000027
【図２６】
2008010899.tif 000028